(57)【特許請求の範囲】
【請求項１】
画像形成装置と、前記画像形成装置と通信可能な携帯端末とを備え、画像形成システムであって、
前記画像形成装置は、
前記画像形成装置から前記携帯端末への片方向通信が可能な第１の近距離無線通信を行う第１の通信手段と、
前記画像形成装置と前記携帯端末との間で双方向通信が可能で、前記第１の近距離無線通信より通信可能距離が長い第２の近距離無線通信を行う第２の通信手段と、
前記画像形成装置の識別情報を記憶する第１の記憶手段と、
前記携帯端末から受信した認証情報に基づき、前記携帯端末と前記画像形成装置との連携を許可する認証手段とを含み、
前記第１の通信手段および前記第２の通信手段は、前記第１の記憶手段に記憶した識別情報を送信し、
前記携帯端末は、
前記第１の近距離無線通信を行う第３の通信手段と、
前記第２の近距離無線通信を行う第４の通信手段と、
前記認証情報を記憶する第２の記憶手段とを含み、
前記第３の通信手段は、前記第１の近距離無線通信により前記画像形成装置から送信される識別情報を受信し、
前記第４の通信手段は、前記第２の近距離無線通信により前記画像形成装置から送信される識別情報を受信し、当該識別情報が前記第３の通信手段で受信した識別情報と一致する場合に、前記第２の記憶手段に記憶した前記認証情報を識別情報が一致した前記画像形成装置に対して送信する、画像形成システム。
【請求項２】
前記第４の通信手段は、前記第２の近距離無線通信により前記画像形成装置から送信される識別情報を予め定められた期間ごとに受信し、
前記第２の記憶手段は、前記第４の通信手段で受信した識別情報を記憶する、請求項１に記載の画像形成システム。
【請求項３】
前記第４の通信手段は、前記第３の通信手段で識別情報を受信した場合、前記第２の近距離無線通信により前記画像形成装置から送信される識別情報を受信する、請求項２に記載の画像形成システム。
【請求項４】
前記第４の通信手段が送信する前記認証情報は、前記画像形成装置にログインするための情報である、請求項１〜請求項３のいずれか１項に記載の画像形成システム。
【請求項５】
前記携帯端末と連携するサブ端末をさらに備え、
前記サブ端末は、
前記第１の近距離無線通信を行う第５の通信手段と、
前記第５の通信手段により前記画像形成装置から受信した識別情報を前記携帯端末に送信する送信手段とを含み、
前記第４の通信手段は、前記第２の近距離無線通信により前記画像形成装置から送信される識別情報を受信し、当該識別情報が前記送信手段から送信された識別情報と一致する場合に、前記第２の記憶手段に記憶した前記認証情報を識別情報が一致した前記画像形成装置に対して送信する、請求項１〜請求項４のいずれか１項に記載の画像形成システム。
【請求項６】
前記携帯端末は、使用者への通知する通知手段をさらに含み、
前記通知手段は、前記第２の記憶手段に前記認証情報が記憶されていない場合、前記使用者に前記認証情報が記憶されていない旨を通知する、請求項１〜請求項５のいずれか１項に記載の画像形成システム。
【請求項７】
前記第１の通信手段は、前記第１の近距離無線通信を行うことが可能なＩＣタグであり、
前記画像形成装置は、ファームウェアを更新することで、前記ＩＣタグに記憶した認証要求情報と識別情報とを変更できる、請求項１〜請求項６のいずれか１項に記載の画像形成システム。
【請求項８】
前記画像形成装置は、前記第２の通信手段により通信が可能で、前記携帯端末と前記画像形成装置との連携を許可する認証が有効である場合に、
前記第２の通信手段は、識別情報としてＩＰアドレスを送信する、請求項１〜請求項６のいずれか１項に記載の画像形成システム。
【請求項９】
前記携帯端末は、
データの処理を伴わない第１の表示画面が表示されているときに、前記第３の通信手段で前記画像形成装置から送信される識別情報を受信した場合、前記第２の記憶手段に記憶した前記認証情報を、前記第４の通信手段から識別情報が一致した前記画像形成装置に対して送信し、
データの処理を伴う第２の表示画面が表示されているときに、前記第３の通信手段で前記画像形成装置から送信される識別情報を受信した場合、前記第２の記憶手段に記憶した前記認証情報および処理するデータを、前記第４の通信手段から識別情報が一致した前記画像形成装置に対して送信する、請求項１〜請求項６のいずれか１項に記載の画像形成システム。
【請求項１０】
携帯端末と通信可能な画像形成装置であって、
前記画像形成装置から前記携帯端末への片方向通信が可能な第１の近距離無線通信を行う第１の通信手段と、
前記画像形成装置と前記携帯端末との間で双方向通信が可能で、前記第１の近距離無線通信より通信可能距離が長い第２の近距離無線通信を行う第２の通信手段と、
前記画像形成装置の識別情報を記憶する第１の記憶手段と、
前記携帯端末から受信した認証情報に基づき、前記携帯端末と前記画像形成装置との連携を許可する認証手段とを含み、
前記第１の通信手段および前記第２の通信手段は、前記第１の記憶手段に記憶した識別情報を送信し、
前記第２の通信手段は、前記携帯端末において、前記第１の近距離無線通信により前記画像形成装置から送信される識別情報と、前記第２の近距離無線通信により前記画像形成装置から送信される識別情報とが一致する場合に、前記携帯端末から送信される前記認証情報を受信する、画像形成装置。
【請求項１１】
画像形成装置と通信可能な携帯端末であって、
前記画像形成装置から前記携帯端末への片方向通信が可能な第１の近距離無線通信を行う第１の通信手段と、
前記画像形成装置と前記携帯端末との間で双方向通信が可能で、前記第１の近距離無線通信より通信可能距離が長い第２の近距離無線通信を行う第２の通信手段と、
前記携帯端末と前記画像形成装置との連携を許可するための認証情報を記憶する記憶手段とを備え、
前記第１の通信手段は、前記第１の近距離無線通信により前記画像形成装置から送信される前記画像形成装置の識別情報を受信し、
前記第２の通信手段は、前記第２の近距離無線通信により前記画像形成装置から送信される識別情報を受信し、当該識別情報が前記第１の通信手段で受信した識別情報と一致する場合に、前記記憶手段に記憶した前記認証情報を識別情報が一致した前記画像形成装置に対して送信する、携帯端末。
【請求項１２】
画像形成装置から携帯端末への片方向通信が可能な第１の近距離無線通信を行う第１の通信手段と、
前記画像形成装置と前記携帯端末との間で双方向通信が可能で、前記第１の近距離無線通信より通信可能距離が長い第２の近距離無線通信を行う第２の通信手段と、
前記携帯端末と前記画像形成装置との連携を許可するための認証情報を記憶する記憶手段とを備える前記携帯端末のプロセッサで実行される認証プログラムであって、
前記第１の近距離無線通信により前記画像形成装置から送信される前記画像形成装置の識別情報を受信するステップと、
前記第２の近距離無線通信により前記画像形成装置から送信される識別情報を受信するステップと、
前記第２の近距離無線通信により受信した識別情報が前記第１の近距離無線通信により受信した識別情報と一致するか否かを判断するステップと、
識別情報が一致した場合に、前記記憶手段に記憶した前記認証情報を識別情報が一致した前記画像形成装置に対して送信するステップとを含む、認証プログラム。
【発明の詳細な説明】
【技術分野】
【０００１】
この開示は、画像形成システム、画像形成装置、携帯端末および認証プログラムに関する。
【背景技術】
【０００２】
近年、画像形成装置（例えば、ＭＦＰ）と携帯端末（例えば、スマートフォン）との間で通信を行い、認証情報を携帯端末から画像形成装置に送信して、画像形成装置で当該認証情報に基づき携帯端末の認証が行われた場合、携帯端末と画像形成装置との連携（例えば、ジョブデータの送信など）が可能な画像形成システムが知られている。そして、画像形成装置と携帯端末との間で認証情報を通信する方式として、ＮＦＣ（Near-field communication）通信やＢＬＥ（Bluetooth（登録商標） Low Energy）通信などがある。
【０００３】
例えば、特開２０１７−７３０１８号公報（特許文献１）では、携帯端末がＢＬＥ通信を用いて画像形成装置から識別情報であるＭＡＣアドレス等の情報を取得する。また、携帯端末は、画像形成装置から取得した識別情報と、画像形成装置から携帯端末へ提示された情報とが一致した場合に、無線ＬＡＮ通信用のプロファイルを作成して、画像形成装置と無線ＬＡＮ通信を行う構成が特許文献１に開示されている。
【０００４】
また、例えば、特開２０１７−１６２３６６号公報（特許文献２）では、ＢＬＥ通信を用いて携帯端末から画像形成装置に認証情報を送信し、当該認証情報に基づいて画像形成装置で認証処理を行い、その結果がＯＫである場合に、携帯端末との無線ＬＡＮ通信を許可する構成が開示されている。
【先行技術文献】
【特許文献】
【０００５】
【特許文献１】特開２０１７−７３０１８号公報
【特許文献２】特開２０１７−１６２３６６号公報
【発明の概要】
【発明が解決しようとする課題】
【０００６】
しかしながら、特許文献１に開示される技術では、ＢＬＥ通信を行う場合、携帯端末側から画像形成装置へハンドシェイクの処理が必要となり、画像形成装置と携帯端末との認証を行うための操作ステップの数が増加する問題があった。また、特許文献２に開示される技術では、ＢＬＥ通信を用いて携帯端末から画像形成装置に認証情報を送信することは記載されているが、認証情報を送信する画像形成装置をどのように特定し、通信を確立するかについては開示されていない。
【０００７】
また、画像形成装置と携帯端末との認証をＢＬＥ通信で行う場合、ＢＬＥ通信の通信可能距離が長いため、複数台の画像形成装置が１つのエリアに設置されていると、ユーザが意図しない画像形成装置を選択して携帯端末との認証を開始してしまう虞があった。そのため、ＢＬＥ通信を用いて認証を行う場合、ユーザが意図する画像形成装置を選択する必要があった。しかし、ユーザが画像形成装置を選択する操作が必要な場合、携帯端末側でユーザが操作する操作ステップが増加するという課題が生じる。
【０００８】
さらに、画像形成装置と携帯端末との認証をＮＦＣ通信で行う場合、ＮＦＣ通信の通信可能距離がＢＬＥ通信に比べて短く、極近距離（十数センチ程度）しか通信できないため、複数台の画像形成装置が１つのエリアに設置されていても、ユーザが意図しない画像形成装置を選択して携帯端末との認証を開始してしまう虞はない。しかし、ＮＦＣ通信が可能な携帯端末には、画像形成装置との間で双方向通信が行なえるものと、画像形成装置からの片方向通信が行なえるものとがある。そのため、双方向通信のＮＦＣ通信を行うことができる携帯端末では、画像形成装置との認証を行うことが可能であるが、片方向通信のＮＦＣ通信を行うことができる携帯端末では、画像形成装置との認証を行うことができないという問題があった。
【０００９】
本開示は、上記のような問題を解決するためになされたものであって、片方向通信の近距離通信を用いる携帯端末において、操作ステップの数を増やすことなく画像形成装置との認証を行うことができる画像形成システム、画像形成装置、携帯端末および認証プログラムを提供することである。
【課題を解決するための手段】
【００１０】
ある実施形態に従うと、画像形成装置と、画像形成装置と通信可能な携帯端末とを備え、画像形成システムであって、画像形成装置は、画像形成装置から携帯端末への片方向通信が可能な第１の近距離無線通信を行う第１の通信手段と、画像形成装置と携帯端末との間で双方向通信が可能で、第１の近距離無線通信より通信可能距離が長い第２の近距離無線通信を行う第２の通信手段と、画像形成装置の識別情報を記憶する第１の記憶手段と、携帯端末から受信した認証情報に基づき、携帯端末と画像形成装置との連携を許可する認証手段とを含み、第１の通信手段および第２の通信手段は、第１の記憶手段に記憶した識別情報を送信し、携帯端末は、第１の近距離無線通信を行う第３の通信手段と、第２の近距離無線通信を行う第４の通信手段と、認証情報を記憶する第２の記憶手段とを含み、第３の通信手段は、第１の近距離無線通信により画像形成装置から送信される識別情報を受信し、第４の通信手段は、第２の近距離無線通信により画像形成装置から送信される識別情報を受信し、当該識別情報が第３の通信手段で受信した識別情報と一致する場合に、第２の記憶手段に記憶した認証情報を識別情報が一致した画像形成装置に対して送信する。
。
【００１１】
好ましくは、第４の通信手段は、第２の近距離無線通信により画像形成装置から送信される識別情報を予め定められた期間ごとに受信し、第２の記憶手段は、第４の通信手段で受信した識別情報を記憶する。
【００１２】
好ましくは、第４の通信手段は、第３の通信手段で識別情報を受信した場合、第２の近距離無線通信により画像形成装置から送信される識別情報を受信する。
【００１３】
好ましくは、第４の通信手段が送信する認証情報は、画像形成装置にログインするための情報である。
【００１４】
好ましくは、携帯端末と連携するサブ端末をさらに備え、サブ端末は、第１の近距離無線通信を行う第５の通信手段と、第５の通信手段で、第１の近距離無線通信により画像形成装置から受信した識別情報を携帯端末に送信する送信手段とを含み、第４の通信手段は、第２の近距離無線通信により画像形成装置から送信される識別情報を受信し、当該識別情報が送信手段から送信された識別情報と一致する場合に、第２の記憶手段に記憶した認証情報を識別情報が一致した画像形成装置に対して送信する。
【００１５】
好ましくは、サブ端末は、使用者への通知する通知手段をさらに含み、通知手段は、第２の記憶手段に認証情報が記憶されていない場合、使用者に認証情報が記憶されていない旨を通知する。
【００１６】
好ましくは、第１の通信手段は、第１の近距離無線通信を行うことが可能なＩＣタグであり、画像形成装置は、ファームウェアを更新することで、ＩＣタグに記憶した認証要求情報と識別情報とを変更できる。
【００１７】
好ましくは、画像形成装置は、第２の通信手段により通信が可能で、携帯端末と画像形成装置との連携を許可する認証が有効である場合に、第１の通信手段および第２の通信手段は、識別情報としてＩＰアドレスを送信する。
【００１８】
好ましくは、携帯端末は、データの処理を伴わない第１の表示画面が表示されているときに、第３の通信手段で画像形成装置から送信される識別情報を受信した場合、第２の記憶手段に記憶した認証情報を、第４の通信手段から識別情報が一致した画像形成装置に対して送信し、データの処理を伴う第２の表示画面が表示されているときに、第３の通信手段で画像形成装置から送信される識別情報を受信した場合、第２の記憶手段に記憶した認証情報および処理するデータを、第４の通信手段から識別情報が一致した画像形成装置に対して送信する。
【００１９】
ある実施形態に従うと、携帯端末と通信可能な画像形成装置であって、画像形成装置から携帯端末への片方向通信が可能な第１の近距離無線通信を行う第１の通信手段と、画像形成装置と携帯端末との間で双方向通信が可能で、第１の近距離無線通信より通信可能距離が長い第２の近距離無線通信を行う第２の通信手段と、画像形成装置の識別情報を記憶する第１の記憶手段と、携帯端末から受信した認証情報に基づき、携帯端末と画像形成装置との連携を許可する認証手段とを含み、第１の通信手段および第２の通信手段は、第１の記憶手段に記憶した識別情報を送信し、第２の通信手段は、携帯端末において、第１の近距離無線通信により画像形成装置から送信される識別情報と、第２の近距離無線通信により画像形成装置から送信される識別情報とが一致する場合に、携帯端末から送信される認証情報を受信する。
【００２０】
ある実施形態に従うと、画像形成装置と通信可能な携帯端末であって、画像形成装置から携帯端末への片方向通信が可能な第１の近距離無線通信を行う第１の通信手段と、画像形成装置と携帯端末との間で双方向通信が可能で、第１の近距離無線通信より通信可能距離が長い第２の近距離無線通信を行う第２の通信手段と、携帯端末と画像形成装置との連携を許可するための認証情報を記憶する記憶手段とを備え、第１の通信手段は、第１の近距離無線通信により画像形成装置から送信される画像形成装置の識別情報を受信し、第２の通信手段は、第２の近距離無線通信により画像形成装置から送信される識別情報を受信し、当該識別情報が第１の通信手段で受信した識別情報と一致する場合に、記憶手段に記憶した認証情報を識別情報が一致した画像形成装置に対して送信する。
【００２１】
ある実施形態に従うと、画像形成装置から携帯端末への片方向通信が可能な第１の近距離無線通信を行う第１の通信手段と、画像形成装置と携帯端末との間で双方向通信が可能で、第１の近距離無線通信より通信可能距離が長い第２の近距離無線通信を行う第２の通信手段と、携帯端末と画像形成装置との連携を許可するための認証情報を記憶する記憶手段とを備える携帯端末のプロセッサで実行される認証プログラムであって、第１の近距離無線通信により画像形成装置から送信される画像形成装置の識別情報を受信するステップと、第２の近距離無線通信により画像形成装置から送信される識別情報を受信するステップと、第２の近距離無線通信により受信した識別情報が第１の近距離無線通信により受信した識別情報と一致するか否かを判断するステップと、識別情報が一致した場合に、記憶手段に記憶した認証情報を識別情報が一致した画像形成装置に対して送信するステップとを含む。
【発明の効果】
【００２２】
ある実施形態に従う画像形成システム、画像形成装置、携帯端末および認証プログラムでは、操作ステップの数を増やすことなく携帯端末と画像形成装置との認証を行うことができる。
【図面の簡単な説明】
【００２３】
【図１】実施の形態１に従う画像形成システムの構成例を説明する図である。
【図２】実施の形態１におけるＭＦＰの外観を示す概略図である。
【図３】実施の形態１におけるＭＦＰのハードウェア構成の概要を示すブロック図である。
【図４】本実施の形態１におけるスマートフォンの構成を示すブロック図である。
【図５】本実施の形態１におけるＭＦＰとスマートフォンとの認証処理を説明するためのシーケンス図である。
【図６】本実施の形態１におけるスマートフォンでの認証処理を説明するためのフローチャートである。
【図７】本実施の形態１におけるスマートフォンでの別の認証処理を説明するためのフローチャートである。
【図８】実施の形態２に従う画像形成システムの構成例を説明する図である。
【図９】本実施の形態２におけるＭＦＰとスマートフォンとの認証処理を説明するためのシーケンス図である。
【図１０】本実施の形態２におけるスマートフォンでの認証処理を説明するためのフローチャートである。
【図１１】本実施の形態３におけるスマートフォンでの認証処理を説明するためのフローチャートである。
【図１２】本実施の形態３におけるスマートフォンでの別の認証処理を説明するためのフローチャートである。
【図１３】本実施の形態３におけるスマートフォンの表示操作部を示す図である。
【発明を実施するための形態】
【００２４】
本発明の実施の形態について、図面を参照しながら詳細に説明する。なお、図中の同一または相当部分については、同一符号を付してその説明は繰返さない。
【００２５】
＜実施の形態１＞
図１は、実施の形態１に従う画像形成システムの構成例を説明する図である。ある実施形態において、１つのエリアに複数のＭＦＰ１００，１００Ａが設置され、スマートフォン２００と連携させることができる画像形成システムである。ＭＦＰ１００，１００Ａとスマートフォン２００と連携させる機能の一つとして、スマートフォン２００を使った認証機能がある。ユーザがスマートフォン２００から認証するＭＦＰ１００，１００Ａを選択することで、ＭＦＰ１００，１００Ａにログインすることができ、ＭＦＰ１００，１００Ａの前に立つことなくＭＦＰ１００，１００Ａを操作することができる。
【００２６】
ＭＦＰ１００，１００Ａは、スマートフォン２００と通信することができる近距離通信として、ＮＦＣ（Near-field communication）通信ＮとＢＬＥ（Bluetooth（登録商標） Low Energy）通信Ｂとを有している。ＢＬＥ通信Ｂは通信可能距離が長い（例えば、十数メートル程度）ため、ＢＬＥ通信Ｂのみを使ってスマートフォン２００の認証を行った場合、ユーザが意図しないＭＦＰを選択してしまう虞がある。また、ユーザに意図するＭＦＰを選択させるためには、ユーザがＢＬＥ通信Ｂを使ってスマートフォン２００の認証を行うことが可能なＭＦＰ（図１の例では、ＭＦＰ１００，１００Ａ）の内から意図するＭＦＰを選択する操作を行う必要が有り、ユーザの操作ステップが増加する。
【００２７】
そこで、実施の形態１に従う画像形成システムでは、ＮＦＣ通信Ｎを利用することで操作ステップの数を増やすことなくスマートフォン２００の認証を行うことが可能となる。ＮＦＣ通信は通信可能距離がＢＬＥ通信に比べて短く、極近距離（十数センチ程度）しか通信できないため、図１に示す例ではスマートフォン２００をかざしているＭＦＰ１００としか通信を行うことができない。また、ＮＦＣ通信Ｎを利用することができるスマートフォンでは、ＯＳ（Operating System）の違いにより、ＭＦＰと双方向通信することができるものと、ＭＦＰからスマートフォンへの片方向通信しかできないものとがある。
【００２８】
実施の形態１に従う画像形成システムでは、ＭＦＰからスマートフォンへの片方向通信しかできないスマートフォンであっても、スマートフォンの認証を行うことが可能なシステムについて説明する。そのため、以下に説明するスマートフォン２００は、ＭＦＰからスマートフォンへの片方向通信しかできないものとして説明する。もちろん、当該画像形成システムでは、ＭＦＰと双方向通信するスマートフォンを用いてもスマートフォンの認証を行うことは可能である。
【００２９】
具体的に、実施の形態１に従う画像形成システムでは、スマートフォン２００をＭＦＰ１００にかざすことでＭＦＰ１００からスマートフォン２００にＮＦＣ通信ＮでＭＡＣアドレス（識別情報）が送信される。また、スマートフォン２００は、ＢＬＥ通信Ｂで通信可能な範囲にあるＭＦＰを検索（ＢＬＥ検索）し、検索できたＭＦＰ１００，１００ＡからそれぞれＭＡＣアドレスを受信する。スマートフォン２００は、ＮＦＣ通信Ｎで受信したれＭＡＣアドレスと、ＢＬＥ通信Ｂで受信したれＭＡＣアドレスとが一致したＭＦＰ１００に対して認証情報をＢＬＥ通信Ｂで送信する。ここで、認証情報は、例えばＭＦＰ１００にログインするための情報である。ＭＦＰ１００は、スマートフォン２００から受信した認証情報に基づき、スマートフォン２００の認証を行う。ＭＦＰ１００がスマートフォン２００を認証することで、両者の連携が可能となり、例えばスマートフォン２００の画像をＭＦＰ１００で印刷することが可能となる。
【００３０】
次に、実施の形態１に従う画像形成システムについて、さらに詳しく説明する。図２は、実施の形態１におけるＭＦＰ１００の外観を示す概略図である。図３は、実施の形態１におけるＭＦＰ１００のハードウェア構成の概要を示すブロック図である。図１および図２を参照して、ＭＦＰ１００は、原稿を読み取るための原稿読取部１１０と、画像形成部１２０と、ユーザーインターフェースとしての操作パネル１６０とを含む。
【００３１】
原稿読取部１１０は、ＣＣＤ（Charge Coupled Device）等の光電変換素子を含み、自動原稿搬送装置から搬送される原稿を光学的に読取って電子データとしての画像を出力する。
【００３２】
画像形成部１２０は、レーザプリンタであり、原稿読取部１１０が出力する画像またはスマートフォン２００から送信された画像を、給紙部から供給される紙などの記録媒体に形成することにより、可視化する。画像形成部１２０は、カラープリントの場合には、イエロー、マゼンタ、シアン、ブラックの４色のトナーで画像を形成する。なお、画像形成部１２０は、インクジェットプリンタであってもよい。操作パネル１６０は、表示部と、操作部とを含む。
【００３３】
また、ＭＦＰ１００は、ＣＰＵ１０１と、ＲＯＭ１０２と、ＲＡＭ１０３と、外部インターフェース（Ｉ／Ｆ）部１３０と、ＢＬＥ通信部１４０と、ＮＦＣ通信部１５０とを含んでいる。ＣＰＵ１０１は、原稿読取部１１０、画像形成部１２０、操作パネル１６０などと接続され、ＭＦＰ１００の全体を制御する。
【００３４】
ＲＯＭ１０２は、ＣＰＵ１０１が実行するプログラム、またはそのプログラムを実行するために必要なデータを記憶する。また、ＲＯＭ１０２には、ＭＦＰのＭＡＣアドレスが記憶されている。ＲＡＭ１０３は、ＣＰＵ１０１がプログラムを実行する際の作業領域として用いられる。また、ＲＡＭ１０３は、原稿読取部１１０から連続的に送られてくる読取データ（画像データ）を一時的に記憶する。
【００３５】
通信Ｉ／Ｆ部１３０は、ＭＦＰ１００をネットワークに接続するためのインターフェースである。ＣＰＵ１０１は、通信Ｉ／Ｆ部１３０を介して、ネットワークに接続されたコンピューターやスマートフォンとの間で通信し、データを送受信する。通信Ｉ／Ｆ部１３０は、例えば、他の装置（例えばスマートフォン２００）と接続され、他の装置から印刷のためのジョブデータを受信することができる。また、通信Ｉ／Ｆ部１３０は、ネットワークを介してインターネットに接続されたコンピューターと通信が可能である。なお、通信Ｉ／Ｆ部１３０は、無線ＬＡＮ通信による通信を行ってもよい。
【００３６】
ＢＬＥ通信部１４０は、ＭＦＰ１００に内蔵されたＢＬＥチップからアドバタイジングデータ（Advertising Data）を発信し、発信するデータにＭＦＰ１００のＭＡＣアドレスなどの情報が含まれている。ＮＦＣ通信部１５０は、ＭＦＰ１００に内蔵されたＩＣタグ１５１を用いてスマートフォン２００と近距離通信を行う。ＩＣタグ１５１には、認証要求フラグ（認証要求情報）とＭＦＰ１００のＭＡＣアドレス（識別情報）との情報が記憶されている。ＩＣタグ１５１は、ＭＦＰ１００のファームウェアを更新することで、ＩＣタグ１５１の内部情報（認証要求フラグやＭＡＣアドレスなどの情報）の変更できる。
【００３７】
ＣＰＵ１０１が実行するプログラムを記憶する媒体としては、ＣＤ−ＲＯＭに限られず、光ディスク（ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  ＥＰＲＯＭ）などの半導体メモリであってもよい。
【００３８】
また、ＣＰＵ１０１が実行するプログラムは、ＣＤ−ＲＯＭに記録されたプログラムに限られず、補助記憶装置（例えば、ＨＤＤ）に記憶されたプログラムをＲＡＭ１０３にロードして実行するようにしてもよい。この場合、通信Ｉ／Ｆ部１３０を介してネットワークに接続された他のコンピューターが、ＭＦＰ１００の補助記憶装置に記憶されたプログラムを書換える、または、新たなプログラムを追加して書き込むようにしてもよい。さらに、ＭＦＰ１００が、通信Ｉ／Ｆ部１３０を介してネットワークに接続された他のコンピューターからプログラムをダウンロードして、そのプログラムを補助記憶装置に記憶するようにしてもよい。ここでいうプログラムは、ＣＰＵ１０１が直接実行可能なプログラムだけでなく、ソースプログラム、圧縮処理されたプログラム、暗号化されたプログラム等を含む。
【００３９】
図４は、本実施の形態１におけるスマートフォン２００の構成を示すブロック図である。図４を参照して、スマートフォン２００は、ＣＰＵ２０１と、ＲＯＭ２０２と、ＲＡＭ２０３と、補助記憶装置２０４と、外部インターフェース（Ｉ／Ｆ）部２１０と、ＢＬＥ通信部２２０と、ＮＦＣ通信部２３０と、表示操作部２４０とを含んでいる。ＣＰＵ２０１と、ＲＯＭ２０２、ＲＡＭ２０３、補助記憶装置２０４、外部Ｉ／Ｆ部２１０、ＢＬＥ通信部２２０、ＮＦＣ通信部２３０、表示操作部２４０の各々とは、相互に接続されている。
【００４０】
ＣＰＵ２０１は、スマートフォン２００全体の動作を制御する。ＣＰＵ２０１は、ＲＯＭ２０２に記憶されたプログラムを実行する。ＲＯＭ２０２は、ＣＰＵ２０１が実行する制御プログラムなどを記憶する。ＲＡＭ２０３はＣＰＵ２０１の作業用のメモリである。なお、補助記憶装置２０４は、画像データや、各種アプリケーションのプログラム、印刷設定アプリを通じて設定された印刷条件などの情報を記憶する。また、補助記憶装置２０４は、ＢＬＥ通信部２２０またはＮＦＣ通信部２３０で受信したＭＡＣアドレスを記憶する。なお、ＢＬＥ通信部２２０またはＮＦＣ通信部２３０で受信したＭＡＣアドレスは、補助記憶装置２０４とは異なる記憶部、例えばＲＡＭ２０３で記憶してもよい。
【００４１】
通信Ｉ／Ｆ部２１０は、スマートフォン２００をネットワークに接続するためのインターフェースである。ＣＰＵ２０１は、通信Ｉ／Ｆ部２１０を介して、ネットワークに接続されたコンピューターやＭＦＰとの間で通信し、データを送受信する。通信Ｉ／Ｆ部２１０は、例えば、他の装置（例えばＭＦＰ１００）と接続され、他の装置に印刷のためのジョブデータを送信することができる。また、通信Ｉ／Ｆ部２１０は、ネットワークを介してインターネットに接続されたコンピューターと通信が可能である。なお、通信Ｉ／Ｆ部２１０は、無線ＬＡＮ通信による通信を行っている。
【００４２】
ＢＬＥ通信部２２０は、ＭＦＰ１００に内蔵されたＢＬＥチップからブロードキャスト送信されてくるアドバタイジングデータ（Advertising Data）を受信するとともに、ＭＦＰ１００に対して認証情報などの情報を送信することが可能である。ＮＦＣ通信部２３０は、ＭＦＰ１００に内蔵されたＩＣタグ１５１と通信し、ＩＣタグ１５１内の情報を読み取って取得する。具体的に、スマートフォン２００は、ＭＦＰ１００の識別情報（ＭＡＣアドレス等）をＩＣタグ１５１から取得する。なお、ＮＦＣ通信部２３０は、他の装置からスマートフォンへの情報送信は可能だが、スマートフォンから他の装置への情報送信はできない。
【００４３】
操作表示部２４０は、ユーザからのタッチ操作を検出する。また操作表示部２４０は、ユーザへの各種情報を表示する。
【００４４】
次に、ＭＦＰ１００とスマートフォン２００との間で行われる認証処理について説明する。図５は、本実施の形態１におけるＭＦＰ１００とスマートフォン２００との認証処理を説明するためのシーケンス図である。図６は、本実施の形態１におけるスマートフォン２００での認証処理を説明するためのフローチャートである。まず、ＭＦＰ１００が、ＢＬＥチップからアドバタイジングデータ（Advertising Data）をブロードキャストで発信し、発信するデータにＭＦＰ１００のＭＡＣアドレスなどの情報が含まれているので、スマートフォン２００のＣＰＵ２０１は、予めＢＬＥ通信でＭＦＰ１００から送信されてくるＭＡＣアドレスを取得し記憶する（ステップＳ１０１）。
【００４５】
ＣＰＵ２０１は、ＭＦＰ１００からＭＡＣアドレスを取得してから５秒経過したか否かを判断する（ステップＳ１０２）。ＭＦＰ１００からＭＡＣアドレスを取得してから５秒経過した場合（ステップＳ１０２でＹＥＳ）、ＣＰＵ２０１は、処理をステップＳ１０１に戻し、ＢＬＥ通信でＭＦＰ１００から送信されてくるＭＡＣアドレスを取得し記憶する。つまり、ＢＬＥ通信部２２０は、ＢＬＥ通信によりＭＦＰ１００から送信されるＭＡＣアドレスを予め定められた期間（例えば、５秒）ごとに受信する。これにより、スマートフォン２００は、認証を行う前に通信可能なＭＦＰを把握することができるとともに、認証時にＭＦＰのＭＡＣアドレスを取得する処理が不要になる。
【００４６】
ＭＦＰ１００からＭＡＣアドレスを取得してから５秒経過していない場合（ステップＳ１０２でＮＯ）、ＣＰＵ２０１は、ＭＦＰ１００に内蔵されたＩＣタグ１５１にスマートフォン２００のＮＦＣ通信部２３０をかざして、ＩＣタグ１５１からＮＦＣ通信でＭＡＣアドレスを取得したか否かを判断する（ステップＳ１０３）。ＮＦＣ通信でＭＡＣアドレスを取得していない場合（ステップＳ１０３でＮＯ）、ＣＰＵ２０１は、処理をステップＳ１０２に戻す。
【００４７】
一方、ＮＦＣ通信でＭＡＣアドレスを取得した場合（ステップＳ１０３でＹＥＳ）、ＣＰＵ２０１は、予め記憶してあるＭＡＣアドレスと、ＮＦＣ通信で取得したＭＡＣアドレスとが一致するか否かを判断する（ステップＳ１０４）。つまり、図５に示すシーケンス図において、スマートフォン２００がＮＦＣ通信でＭＦＰ１００からＭＡＣアドレスを取得した状態である。ＭＡＣアドレスが一致しない場合（ステップＳ１０４でＮＯ）、ＣＰＵ２０１は、ＢＬＥ通信で通信可能な範囲にあるＭＦＰを検索（ＢＬＥ検索）し、検索できたＭＦＰからＭＡＣアドレスを取得し記憶する（ステップＳ１０５）。つまり、図５に示すシーケンス図において、スマートフォン２００がＢＬＥ通信でＭＦＰ１００からＭＡＣアドレスを取得した状態である。
【００４８】
ＣＰＵ２０１は、ＢＬＥ検索で取得したＭＡＣアドレスと、ＮＦＣ通信で取得したＭＡＣアドレスとが一致するか否かを判断する（ステップＳ１０６）。ＭＡＣアドレスが一致した場合（ステップＳ１０４，Ｓ１０６でＹＥＳ）、ＣＰＵ２０１は、ＢＬＥ通信でＭＡＣアドレスが一致したＭＦＰ１００に対して認証情報を送信する（ステップＳ１０７）。つまり、図５に示すシーケンス図において、スマートフォン２００がＢＬＥ通信でＭＦＰ１００に対して認証情報を送信した状態である。
【００４９】
一方、ＭＡＣアドレスが一致しない場合（ステップＳ１０６でＮＯ）、ＣＰＵ２０１は、認証を失敗したことを表示操作部２４０に表示してユーザに通知する（ステップＳ１０８）。ＣＰＵ２０１は、ステップＳ１０７でＭＦＰ１００に対して認証情報を送信した後、またはステップＳ１０８で認証失敗を通知した後に認証処理を終了する。
【００５０】
図６で示した認証処理では、スマートフォン２００は、ＭＦＰとの認証を行う前に、予めＢＬＥ通信でＭＦＰから送信されてくるＭＡＣアドレスを取得し記憶する構成が前提である。しかし、ＭＦＰにスマートフォンをかざして、ＮＦＣ通信でＭＡＣアドレスを取得したことを契機に、ＭＦＰからＢＬＥ通信でＭＡＣアドレスを取得する構成であってもよい。図７は、本実施の形態１におけるスマートフォン２００での別の認証処理を説明するためのフローチャートである。
【００５１】
まず、ＣＰＵ２０１は、ＭＦＰ１００に内蔵されたＩＣタグ１５１にスマートフォン２００のＮＦＣ通信部２３０をかざして、ＩＣタグ１５１からＮＦＣ通信でＭＡＣアドレスを取得する（ステップＳ２０１）。ＮＦＣ通信でＭＡＣアドレスを取得したことを契機として、ＣＰＵ２０１は、ＢＬＥ通信で通信可能な範囲にあるＭＦＰを検索（ＢＬＥ検索）し、検索できたＭＦＰからＭＡＣアドレスを取得し記憶する（ステップＳ２０２）。
【００５２】
ＣＰＵ２０１は、ＢＬＥ検索で取得したＭＡＣアドレスと、ＮＦＣ通信で取得したＭＡＣアドレスとが一致するか否かを判断する（ステップＳ２０３）。ＭＡＣアドレスが一致した場合（ステップＳ２０３でＹＥＳ）、ＣＰＵ２０１は、ＢＬＥ通信でＭＡＣアドレスが一致したＭＦＰ１００に対して認証情報を送信する（ステップＳ２０４）。
【００５３】
一方、ＭＡＣアドレスが一致しない場合（ステップＳ２０３でＮＯ）、ＣＰＵ２０１は、認証を失敗したことを表示操作部２４０に表示してユーザに通知する（ステップＳ２０５）。ＣＰＵ２０１は、ステップＳ２０４でＭＦＰ１００に対して認証情報を送信した後、またはステップＳ２０５で認証失敗を通知した後に認証処理を終了する。
【００５４】
以上のように、本実施の形態１に係る画像形成システムでは、ＭＦＰ１００と、ＭＦＰ１００と通信可能なスマートフォン２００とを備えている。ＭＦＰ１００は、ＭＦＰ１００からスマートフォン２００への片方向通信が可能なＮＦＣ通信Ｎ（第１の近距離無線通信）を行うＮＦＣ通信部１５０（第１の通信手段）と、ＭＦＰ１００とスマートフォン２００との間で双方向通信が可能なＢＬＥ通信Ｂ（第２の近距離無線通信）を行うＢＬＥ通信部１４０（第２の通信手段）とを含んでいる。ＭＦＰ１００は、ＭＦＰ１００のＭＡＣアドレス（識別情報）を記憶するＲＯＭ１０２（第１の記憶手段）と、スマートフォン２００から受信した認証情報に基づき、スマートフォン２００とＭＦＰ１００との連携を許可する認証手段に相当するＣＰＵ１０１とを含んでいる。ＮＦＣ通信部１５０およびＢＬＥ通信部１４０は、ＭＦＰ１００のＭＡＣアドレスを送信する。スマートフォン２００は、ＮＦＣ通信Ｎを行うＮＦＣ通信部２３０（第３の通信手段）と、ＢＬＥ通信Ｂを行うＢＬＥ通信部２２０（第４の通信手段）と、認証情報を記憶する補助記憶装置２０４（第２の記憶手段）とを含んでいる。ＮＦＣ通信部２３０は、ＮＦＣ通信ＮによりＭＦＰ１００から送信されるＭＡＣアドレスを受信し、ＢＬＥ通信部２２０は、ＢＬＥ通信ＢによりＭＦＰ１００から送信されるＭＡＣアドレスを受信し、当該ＭＡＣアドレスがＮＦＣ通信部２３０で受信したＭＡＣアドレスと一致する場合に、補助記憶装置２０４に記憶した認証情報をＭＡＣアドレスが一致したＭＦＰ１００に対して送信する。
【００５５】
これにより、本実施の形態１に係る画像形成システムでは、スマートフォン２００でユーザが意図するＭＦＰを選択する操作を行なうことなく、つまり操作ステップの数を増やすことなくスマートフォン２００とＭＦＰ１００との認証を行うことができる。
【００５６】
また、本実施の形態１に係る画像形成システムでは、ＢＬＥ通信部２２０が、ＢＬＥ通信ＢによりＭＦＰ１００から送信されるＭＡＣアドレスを予め定められた期間（例えば、５秒）ごとに受信し、補助記憶装置２０４は、ＢＬＥ通信部２２０で受信したＭＡＣアドレスを記憶してもよい。これにより、本実施の形態１に係る画像形成システムでは、事前にＢＬＥ通信ＢによりＭＦＰのＭＡＣアドレスを取得し記憶しておくことかできる。
【００５７】
さらに、本実施の形態１に係る画像形成システムでは、ＢＬＥ通信部２２０が、ＮＦＣ通信部２３０でＭＡＣアドレスを受信した場合、ＢＬＥ通信ＢによりＭＦＰ１００から送信されるＭＡＣアドレスを受信してもよい。これにより、本実施の形態１に係る画像形成システムでは、ＮＦＣ通信部２３０でＭＡＣアドレスを受信したことを契機に、認証処理を開始することができる。
【００５８】
また、本実施の形態１に係るスマートフォン２００のＣＰＵ２０１で実行される認証プログラムでは、ＮＦＣ通信ＮによりＭＦＰ１００から送信されるＭＡＣアドレスを受信するステップと、ＢＬＥ通信ＢによりＭＦＰ１００から送信されるＭＡＣアドレスを受信するステップと、ＢＬＥ通信Ｂにより受信したＭＡＣアドレスがＮＦＣ通信Ｎにより受信したＭＡＣアドレスと一致するか否かを判断するステップと、ＭＡＣアドレスが一致した場合に、補助記憶装置２０４に記憶した認証情報をＭＡＣアドレスが一致したＭＦＰ１００に対して送信するステップとを含んでいる。スマートフォン２００は当該認証プログラムを実行することにより、スマートフォン２００でユーザが意図するＭＦＰを選択する操作を行なうことなく、つまり操作ステップの数を増やすことなくＭＦＰ１００と認証を行うことができる。
【００５９】
＜実施の形態２＞
実施の形態１に従う画像形成システムでは、スマートフォン２００を用いてＭＦＰ１００に対して認証を行ったが、本実施の形態２に従う画像形成システムでは、スマートフォンと連携する端末を用いてＭＦＰに対して認証を行う構成について説明する。図８は、実施の形態２に従う画像形成システムの構成例を説明する図である。ある実施形態において、１つのエリアに複数のＭＦＰ１００，１００Ａが設置され、スマートウォッチ３００を介してスマートフォン２００と連携させることができる画像形成システムである。実施の形態２に従えば、スマートウォッチ３００をＭＦＰ１００にかざすだけで、ＭＦＰ１００はスマートフォン２００を認証することができる。なお、スマートフォン２００とスマートウォッチ３００とは、ＢＬＥ通信Ｂでデータを送受信することで連携を行っている。もちろん、スマートフォン２００とスマートウォッチ３００とが無線ＬＡＮ通信でデータを送受信して連携を行ってもよい。
【００６０】
具体的に、実施の形態２に従う画像形成システムでは、スマートウォッチ３００をＭＦＰ１００にかざすことでＭＦＰ１００からスマートウォッチ３００にＮＦＣ通信ＮでＭＡＣアドレス（識別情報）が送信される。当該ＭＡＣアドレスは、スマートウォッチ３００により、ＢＬＥ通信Ｂでスマートフォン２００へ送信される。また、スマートフォン２００は、ＢＬＥ通信Ｂで通信可能な範囲にあるＭＦＰを検索（ＢＬＥ検索）し、検索できたＭＦＰ１００，１００ＡからそれぞれＭＡＣアドレスを受信する。スマートフォン２００は、ＮＦＣ通信Ｎで受信したれＭＡＣアドレスと、ＢＬＥ通信Ｂで受信したＭＡＣアドレスとが一致したＭＦＰ１００に対して認証情報をＢＬＥ通信Ｂで送信する。ここで、認証情報は、例えばＭＦＰ１００にログインするための情報である。ＭＦＰ１００は、スマートフォン２００から受信した認証情報に基づき、スマートフォン２００の認証を行う。ＭＦＰ１００がスマートフォン２００を認証することで、両者の連携が可能となり、例えばスマートフォン２００の画像をＭＦＰ１００で印刷することが可能となる。なお、スマートフォン２００の構成は図示していないが、図４で示したスマートフォン２００の構成と同じようにＣＰＵと、ＲＯＭと、ＲＡＭと、補助記憶装置と、外部インターフェース（Ｉ／Ｆ）部と、ＢＬＥ通信部と、ＮＦＣ通信部と、表示操作部とを含んでいる。
【００６１】
次に、実施の形態２に従う画像形成システムにおける、ＭＦＰ１００とスマートフォン２００との間で行われる認証処理について説明する。図９は、本実施の形態２におけるＭＦＰ１００とスマートフォン２００との認証処理を説明するためのシーケンス図である。図１０は、本実施の形態２におけるスマートフォン２００での認証処理を説明するためのフローチャートである。
【００６２】
まず、ＣＰＵ２０１は、スマートウォッチ３００からＢＬＥ通信Ｂで送信されてくるＭＡＣアドレスを受信し記憶する（ステップＳ３０１）。当該ＭＡＣアドレスは、ＭＦＰ１００に内蔵されたＩＣタグ１５１にスマートウォッチ３００のＮＦＣ通信部がかざされたことを契機として、ＭＦＰ１００からスマートウォッチ３００に送信されたものである。スマートウォッチ３００から送信されてくるＭＡＣアドレスを取得したことを契機として、ＣＰＵ２０１は、ＢＬＥ通信で通信可能な範囲にあるＭＦＰを検索（ＢＬＥ検索）し、検索できたＭＦＰからＭＡＣアドレスを取得し記憶する（ステップＳ３０２）。
【００６３】
ＣＰＵ２０１は、ＢＬＥ検索で取得したＭＡＣアドレスと、ＮＦＣ通信で受信したＭＡＣアドレスとが一致するか否かを判断する（ステップＳ３０３）。ＭＡＣアドレスが一致した場合（ステップＳ３０３でＹＥＳ）、ＣＰＵ２０１は、認証情報が登録されているか否かを判断する（ステップＳ３０４）。認証情報が登録されている場合（ステップＳ３０４でＹＥＳ）、ＣＰＵ２０１は、ＭＡＣアドレスが一致したＭＦＰ１００に対して、ＢＬＥ通信で認証情報を送信する（ステップＳ３０７）。一方、認証情報が登録されていない場合（ステップＳ３０４でＮＯ）、ＣＰＵ２０１は、認証情報が登録されていないことを表示操作部２４０に表示してユーザへ通知し、認証情報の入力を促す。（ステップＳ３０５）。ＣＰＵ２０１は、認証情報の入力を受付け（ステップＳ３０６）、ＭＡＣアドレスが一致したＭＦＰ１００に対して、ＢＬＥ通信で認証情報を送信する（ステップＳ３０７）。
【００６４】
ステップＳ３０３において、ＭＡＣアドレスが一致しない場合（ステップＳ３０３でＮＯ）、ＣＰＵ２０１は、認証を失敗したことを表示操作部２４０に表示してユーザに通知する（ステップＳ３０８）。ＣＰＵ２０１は、ステップＳ３０７でＭＦＰ１００に対して認証情報を送信した後、またはステップＳ３０８で認証失敗を通知した後に認証処理を終了する。
【００６５】
以上のように、本実施の形態２に係る画像形成システムでは、スマートフォン２００と連携するスマートウォッチ３００をさらに備えている。スマートウォッチ３００が、ＮＦＣ通信Ｎを行うＮＦＣ通信部（第５の通信手段）と、ＮＦＣ通信部によりＭＦＰ１００から受信したＭＡＣアドレスをスマートフォン２００へ送信するＢＬＥ通信部（送信手段）とを含んでいる。ＢＬＥ通信部２２０（第４の通信手段）が、ＢＬＥ通信ＢによりＭＦＰ１００から送信されるＭＡＣアドレスを受信し、当該ＭＡＣアドレスがＮＦＣ通信部２３０で受信したＭＡＣアドレスと一致する場合に、補助記憶装置２０４に記憶した認証情報をＭＡＣアドレスが一致したＭＦＰ１００に対して送信する。
【００６６】
これにより、本実施の形態２に係る画像形成システムでは、スマートウォッチ３００をＭＦＰ１００にかざすだけで、スマートフォン２００とＭＦＰ１００との認証を行うことができる。つまり、スマートウォッチ３００やスマートフォン２００でユーザが意図するＭＦＰを選択する操作を行なうことなく（操作ステップの数を増やすことなく）、スマートフォン２００とＭＦＰ１００との認証を行うことができる。なお、スマートフォン２００と連携するサブ端末は、スマートウォッチ３００に限定されず、スマートフォン２００と連携することが可能な端末であればいずれの端末でもよい。
【００６７】
また、スマートフォン２００は、ユーザ（使用者）への通知する表示操作部２４０（通知手段）をさらに含んでいる。表示操作部２４０は、補助記憶装置２０４に認証情報が記憶されていない場合、ユーザに認証情報が記憶されていない旨を通知する。これにより、ユーザが認証情報の入力を忘れていても、認証情報を入力することでスマートフォン２００とＭＦＰ１００との認証を行うことができる。
【００６８】
また、本実施の形態２に係る画像形成システムでは、ＮＦＣ通信部２３０でＭＡＣアドレスを受信した場合、ＢＬＥ通信部２２０が、ＢＬＥ通信ＢによりＭＦＰ１００から送信されるＭＡＣアドレスを受信する。これにより、本実施の形態２に係る画像形成システムでは、ＮＦＣ通信部２３０でＭＡＣアドレスを受信したことを契機に、認証処理を開始することができる。
【００６９】
さらに、本実施の形態２に係る画像形成システムでは、ＢＬＥ通信部２２０が、ＢＬＥ通信ＢによりＭＦＰ１００から送信されるＭＡＣアドレスを予め定められた期間（例えば、５秒）ごとに受信し、補助記憶装置２０４は、ＢＬＥ通信部２２０で受信したＭＡＣアドレスを記憶してもよい。これにより、本実施の形態２に係る画像形成システムでは、事前にＢＬＥ通信ＢによりＭＦＰのＭＡＣアドレスを取得し記憶しておくことかできる。
【００７０】
＜実施の形態３＞
実施の形態３に係る画像形成システムでは、スマートフォンをＭＦＰにかざすだけで、スマートフォンの認証を行うことができ、さらには、ＭＦＰに登録されているジョブや、スマートフォンの表示操作部２４０に表示されている写真やドキュメントなどを印刷することができる。
【００７１】
具体的に、実施の形態３に従う画像形成システムでは、スマートフォン２００をＭＦＰ１００にかざすことでＭＦＰ１００からスマートフォン２００にＮＦＣ通信ＮでＭＡＣアドレス（識別情報）が送信される。また、スマートフォン２００は、ＢＬＥ通信Ｂで通信可能な範囲にあるＭＦＰを検索（ＢＬＥ検索）し、検索できたＭＦＰ１００，１００ＡからそれぞれＭＡＣアドレスを受信する。スマートフォン２００は、ＮＦＣ通信Ｎで受信したＭＡＣアドレスと、ＢＬＥ通信Ｂで受信したれＭＡＣアドレスとが一致したＭＦＰ１００に対して認証情報をＢＬＥ通信Ｂで送信する。ここで、認証情報は、例えばＭＦＰ１００にログインするための情報である。当該認証情報がＭＦＰ１００に送信されると、ある形態では、ＭＦＰ１００に登録されているジョブを印刷することが可能となる。また、別の形態では、スマートフォン２００の表示操作部２４０に表示されている写真やドキュメントなどのデータがＭＦＰ１００に送信され、印刷することが可能となる。
【００７２】
次に、実施の形態３に従う画像形成システムにおける、ＭＦＰ１００とスマートフォン２００との間で行われる認証処理について説明する。図１１は、本実施の形態３におけるスマートフォン２００での認証処理を説明するためのフローチャートである。
【００７３】
まず、ＣＰＵ２０１は、ＮＦＣ通信でＭＡＣアドレスを取得し記憶する（ステップＳ４０１）。ＮＦＣ通信でＭＡＣアドレスを取得したことを契機として、ＣＰＵ２０１は、ＢＬＥ通信で通信可能な範囲にあるＭＦＰを検索（ＢＬＥ検索）し、検索できたＭＦＰからＭＡＣアドレスを取得し記憶する（ステップＳ４０２）。
【００７４】
ＣＰＵ２０１は、ＢＬＥ検索で取得したＭＡＣアドレスと、ＮＦＣ通信で取得したＭＡＣアドレスとが一致するか否かを判断する（ステップＳ４０３）。ＭＡＣアドレスが一致した場合（ステップＳ４０３でＹＥＳ）、ＣＰＵ２０１は、ＭＡＣアドレスが一致したＭＦＰ１００に対して、ＢＬＥ通信で認証情報を送信する（ステップＳ４０４）。ＣＰＵ２０１は、ＭＦＰ１００からジョブ登録の有無を受信し（ステップＳ４０５）、ＭＦＰ１００にジョブが登録されているか否かを判断する（ステップＳ４０６）。
【００７５】
ジョブが登録されている場合には（ステップＳ４０６でＹＥＳ）、認証処理を終了する。一方、ジョブが登録されていない場合には（ステップＳ４０６でＮＯ）、ＣＰＵ２０１は、ＭＡＣアドレスが一致したＭＦＰ１００から、ＢＬＥ通信でＩＰアドレスを受信し（ステップＳ４０７）、認証処理を終了する。スマートフォン２００は、ＭＦＰ１００からＩＰアドレスを受信することで、ＭＦＰ１００と無線ＬＡＮ通信を行うことが可能となり、印刷するデータなど大容量のデータを送信することができる。
【００７６】
ステップＳ４０３において、ＭＡＣアドレスが一致しない場合（ステップＳ４０３でＮＯ）、ＣＰＵ２０１は、認証を失敗したことを表示操作部２４０に表示してユーザに通知し（ステップＳ４０８）、認証処理を終了する。
【００７７】
次に、実施の形態３に従う画像形成システムにおける、ＭＦＰ１００とスマートフォン２００との間で行われる別の認証処理について説明する。図１２は、本実施の形態３におけるスマートフォンでの別の認証処理を説明するためのフローチャートである。図１３は、本実施の形態３におけるスマートフォンの表示操作部を示す図である。
【００７８】
まず、ＣＰＵ２０１は、ＮＦＣ通信でＭＡＣアドレスを取得し記憶する（ステップＳ５０１）。ＮＦＣ通信でＭＡＣアドレスを取得したことを契機として、ＣＰＵ２０１は、ＢＬＥ通信で通信可能な範囲にあるＭＦＰを検索（ＢＬＥ検索）し、検索できたＭＦＰからＭＡＣアドレスを取得し記憶する（ステップＳ５０２）。
【００７９】
ＣＰＵ２０１は、ＢＬＥ検索で取得したＭＡＣアドレスと、ＮＦＣ通信で取得したＭＡＣアドレスとが一致するか否かを判断する（ステップＳ５０３）。ＭＡＣアドレスが一致した場合（ステップＳ５０３でＹＥＳ）、ＣＰＵ２０１は、ＭＡＣアドレスが一致したＭＦＰ１００に対して、ＢＬＥ通信で認証情報を送信し（ステップＳ５０４）、表示操作部２４０に表示されている画面がＨＯＭＥ画面か否かを判断する（ステップＳ５０５）。
【００８０】
図１３（ａ）に示す通り、ＨＯＭＥ画面とは、スマートフォン２００の表示操作部２４０に表示される画面であり、スマートフォン２００において実行される各種アプリケーションがアイコンＨで表示される。表示操作部２４０に表示されている画面がＨＯＭＥ画面である場合には（ステップＳ５０５でＹＥＳ）、認証処理を終了する。
【００８１】
一方、図１３（ｂ）に示す通り、表示操作部２４０に表示されている画面がＨＯＭＥ画面ではなく、写真Ｐやドキュメントなどが表示されている場合には（ステップＳ５０５でＮＯ）、ＣＰＵ２０１は、ＭＡＣアドレスが一致したＭＦＰ１００からＢＬＥ通信でＩＰアドレスを取得する（ステップＳ５０６）。ＣＰＵ２０１は、ＭＦＰ１００から取得したＩＰアドレスに基づいてＭＦＰ１００と無線ＬＡＮ通信を行い、当該無線ＬＡＮ通信でジョブデータを送信し（ステップＳ５０７）、認証処理を終了する。
【００８２】
ステップＳ５０３において、ＭＡＣアドレスが一致しない場合（ステップＳ５０３でＮＯ）、ＣＰＵ２０１は、認証を失敗したことを表示操作部２４０に表示してユーザに通知し（ステップＳ５０８）、認証処理を終了する。
【００８３】
以上のように、本実施の形態３に係る画像形成システムでは、ＭＦＰ１００が、ＢＬＥ通信部１４０（第２の通信手段）により通信が可能で、スマートフォン２００とＭＦＰ１００との連携を許可する認証が有効である場合に、ＢＬＥ通信部１４０が、識別情報としてＩＰアドレスを送信する。これにより、スマートフォン２００は、ＭＦＰ１００と無線ＬＡＮ通信を行うことが可能となり、印刷するデータなど大容量のデータを送信することができる。
【００８４】
また、本実施の形態３に係る画像形成システムでは、スマートフォン２００が、データの処理を伴わないＨＯＭＥ画面（第１の表示画面）が表示されているときに、ＮＦＣ通信部２３０（第３の通信手段）でＭＦＰ１００から送信されるＭＡＣアドレスを受信した場合、補助記憶装置２０４（第２の記憶手段）に記憶した認証情報を、ＢＬＥ通信部２２０（第４の通信手段）から識別情報が一致したＭＦＰ１００に対して送信し、
データの処理を伴う写真Ｐやドキュメントなどが表示されている画面（第２の表示画面）が表示されているときに、ＮＦＣ通信部２３０でＭＦＰ１００から送信されるＭＡＣアドレスを受信した場合、補助記憶装置２０４に記憶した認証情報および処理するデータを、ＢＬＥ通信部２２０から識別情報が一致したＭＦＰ１００に対して送信する。これにより、ＭＦＰ１００に出力ジョブが登録されている場合や、スマートフォン２００の表示操作部２４０に写真やドキュメントが表示されている場合には、それらのデータを印刷することができる。つまり、ＭＦＰ１００にスマートフォン２００をかざすことで、スマートフォン２００の認証とジョブデータの印刷が可能となる。
【００８５】
また、本実施の形態３に係る画像形成システムでは、ＮＦＣ通信部２３０でＭＡＣアドレスを受信した場合、ＢＬＥ通信部２２０が、ＢＬＥ通信ＢによりＭＦＰ１００から送信されるＭＡＣアドレスを受信する。これにより、本実施の形態１に係る画像形成システムでは、ＮＦＣ通信部２３０でＭＡＣアドレスを受信したことを契機に、認証処理を開始することができる。
【００８６】
また、本実施の形態３に係る画像形成システムでは、ＢＬＥ通信部２２０が、ＢＬＥ通信ＢによりＭＦＰ１００から送信されるＭＡＣアドレスを予め定められた期間（例えば、５秒）ごとに受信し、補助記憶装置２０４は、ＢＬＥ通信部２２０で受信したＭＡＣアドレスを記憶してもよい。これにより、本実施の形態１に係る画像形成システムでは、事前にＢＬＥ通信ＢによりＭＦＰのＭＡＣアドレスを取得し記憶しておくことかできる。
【００８７】
また、本実施の形態３に係る画像形成システムでは、本実施の形態２のように、スマートウォッチ３００をＭＦＰ１００にかざすことでスマートフォン２００とＭＦＰ１００との認証を行ってもよい。これにより、スマートフォン２００でユーザが意図するＭＦＰを選択する操作を行なうことなく、つまり操作ステップの数を増やすことなくスマートフォン２００とＭＦＰ１００との認証を行うことができる。
【００８８】
また、本実施の形態３に係る画像形成システムでは、本実施の形態２のように、スマートフォン２００に認証情報が登録されていない場合には、その旨がユーザに通知されるようにしてもよい。これにより、ユーザが認証情報の入力を忘れていても、認証情報を入力することでスマートフォン２００とＭＦＰ１００との認証を行うことができる。
【００８９】
上記説明した各種処理は、１つのＣＰＵによって実現されるものとしてあるが、これに限られない。これらの各種機能は、少なくとも１つのプロセッサのような半導体集積回路、少なくとも１つの特定用途向け集積回路ＡＳＩＣ（Application  Specific  Integrated  Circuit）、少なくとも１つのＤＳＰ（Digital Signal Processor）、少なくとも１つのＦＰＧＡ（Field  Programmable  Gate  Array）、および／またはその他の演算機能を有する回路によって実装され得る。
【００９０】
これらの回路は、有形の読取可能な少なくとも１つの媒体から、１以上の命令を読み出すことにより上記の各種処理を実行しうる。
【００９１】
このような媒体は、磁気媒体（たとえば、ハードディスク）、光学媒体（例えば、コンパクトディスク（ＣＤ）、ＤＶＤ）、揮発性メモリ、不揮発性メモリの任意のタイプのメモリなどの形態をとるが、これらの形態に限定されるものではない。
【００９２】
揮発性メモリはＤＲＡＭ（Dynamic  Random  Access  Memory）およびＳＲＡＭ（Static  Random  Access  Memory）を含み得る。不揮発性メモリは、ＲＯＭ、ＮＶＲＡＭを含み得る。
【００９３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９４】
１００、１００Ａ  ＭＦＰ、２００  スマートフォン、３００  スマートウォッチ、１０１，２０１  ＣＰＵ、１０２  ＲＯＭ、１４０，２２０  ＢＬＥ通信部、１５０，２３０  ＮＦＣ通信部、１５１  ＩＣタグ、２０４  補助記憶装置、２４０  表示操作部。
【図１】
0006988558.tif 000002
【図２】
0006988558.tif 000003
【図３】
0006988558.tif 000004
【図４】
0006988558.tif 000005
【図５】
0006988558.tif 000006
【図６】
0006988558.tif 000007
【図７】
0006988558.tif 000008
【図８】
0006988558.tif 000009
【図９】
0006988558.tif 000010
【図１０】
0006988558.tif 000011
【図１１】
0006988558.tif 000012
【図１２】
0006988558.tif 000013
【図１３】
0006988558.tif 000014